(57)【要約】【課題】機能性に優れ部品点数を低減できるケーブルブーツを提供する。【解決手段】本発明のケーブルブーツ１は、被着物たるハウジング１１の開口部１３ｍを閉鎖するようにしながら、当該開口部１３ｍに液密的に嵌合する構成となっている。当該ケーブルブーツ１の前記開口部１３ｍの閉鎖部分においては、ケーブル１４・１５を保持可能な貫通孔２・３が形成される。また、当該ケーブルブーツ１の前記開口部１３ｍの閉鎖部分以外の部分には、ケーブル１６を保持可能な保持部５が一体形成される。前記ケーブルブーツ１は、当該ケーブルブーツ１を前記ハウジング１１に取り付けたときに当該ハウジング１１に近接する位置に、ボス部１ｄを一体形成しており、前記保持部５はこのボス部１ｄに形成されている。前記保持部５は、前記ハウジング１１に近づく方向（白抜き矢印方向）にケーブル１６を移動させることで、ケーブル１６を装着できるように構成している。【選択図】      図４
2004173382.tif 000002
【特許請求の範囲】
【請求項１】
被着物の開口部を閉鎖するようにしながら当該開口部に液密的に嵌合する、弾性体で構成されるケーブルブーツであって、
当該ケーブルブーツの前記開口部の閉鎖部分には、ケーブルを保持可能な貫通孔が形成され、
当該ケーブルブーツの前記開口部の閉鎖部分以外の部分には、ケーブルを保持可能な保持部が一体形成されていることを特徴とする、ケーブルブーツ。
【請求項２】
請求項１に記載のケーブルブーツであって、前記保持部は、前記被着物に近づく方向にケーブルを移動させることで、当該保持部に装着できるように構成している、ケーブルブーツ。
【請求項３】
請求項１に記載のケーブルブーツであって、前記保持部は、前記被着物から遠ざかる方向にケーブルを移動させることで、当該保持部に装着できるように構成している、ケーブルブーツ。
【請求項４】
請求項１から請求項３までの何れか一項に記載のケーブルブーツであって、
前記ケーブルブーツは、当該ケーブルブーツを前記被着物に取り付けたときに当該被着物に近接する位置に、凸部を一体形成しており、
前記保持部は前記凸部に形成されていることを特徴とする、ケーブルブーツ。
【発明の詳細な説明】
【０００１】
【発明の属する技術分野】
本発明は、ケーブルを開口部に挿通する部分において、当該開口部に液密的に取り付けられるとともにケーブルを損傷しないように保持する、ケーブルブーツの構成に関する。
【０００２】
【従来の技術】
従来から、ケーブルを孔などの開口部に挿通する際に、当該ケーブルが開口部の縁部に擦れて損傷することを防止するように保持し、かつ当該開口部からの水滴等が漏れを防止するよう液密的に密着封止することとした、ケーブルブーツは公知となっている。
【０００３】
例えば、特許文献１に開示されるワイヤハーネス用グロメットがある。
このワイヤハーネス用グロメット（２）は、開口部たる貫通孔（１ａ）に装着される基部（２ａ）を有するとともに、ワイヤハーネス保持部としての略円錐状の蛇腹構造部（２ｂ）を備え、ここにケーブルとしてのワイヤハーネス（３）を挿通させて保持させる構造となっている。
【０００４】
【特許文献１】
実公平４−３１３８５号公報
【０００５】
【発明が解決しようとする課題】
しかし、上述した従来のワイヤハーネス用グロメット（２）は、貫通孔（１ａ）を通過するワイヤハーネス（３）は複数本であっても保持できるものの、貫通孔（１ａ）を通過しないワイヤハーネスを保持することはできない。従って、例えば貫通孔（１ａ）近傍を通過するのみのワイヤハーネスを固定する場合には、前記グロメット（２）以外に特別の固定具を用意しなければならず、部品点数が増大し、製造コスト及び工数が増大する原因となってしまっていた。
【０００６】
【課題を解決するための手段】
本発明の解決しようとする課題は以上の如くであり、次にこの課題を解決するための手段を説明する。
【０００７】
即ち、請求項１においては、被着物の開口部を閉鎖するようにしながら当該開口部に液密的に嵌合する、弾性体で構成されるケーブルブーツであって、当該ケーブルブーツの前記開口部の閉鎖部分には、ケーブルを保持可能な貫通孔が形成され、当該ケーブルブーツの前記開口部の閉鎖部分以外の部分には、ケーブルを保持可能な保持部が一体形成されているものである。
【０００８】
この請求項１において「ケーブル」とは、細長い導電体に外皮を被着したものをいう。
【０００９】
請求項１の構成とすると、開口部を通過するケーブルを貫通孔によって保持して、当該ケーブルが被着物と擦れて損傷するのを防止して保護する本来の機能を奏するほか、当該ケーブルブーツの付近を通過する他のケーブルを固定でき、当該他のケーブルが被着物に擦れて損傷しないように保護することができる。
従って、前記他のケーブルの支持固定のための特別の部品が不要となるから、部品点数を減らし、コストを低減することができる。
【００１０】
請求項２においては、前記保持部は、前記被着物に近づく方向にケーブルを移動させることで、当該保持部に装着できるように構成しているものである。
【００１１】
請求項２の構成とすると、ケーブルを保持部に取り付ける作業が簡素化され、組立工数が低減される。
【００１２】
請求項３においては、前記保持部は、前記被着物から遠ざかる方向にケーブルを移動させることで、当該保持部に装着できるように構成しているものである。
【００１３】
請求項３の構成とすると、ケーブルに何らかの事情で被着物から遠ざかる向きに力が加わったとしても、ケーブルが保持部から外れてしまうことは防止される。即ち、ケーブルを保持部に確実に保持させることができる。
【００１４】
請求項４においては、前記ケーブルブーツは、当該ケーブルブーツを前記被着物に取り付けたときに当該被着物に近接する位置に、凸部を一体形成しており、前記保持部は前記凸部に形成されているものである。
【００１５】
請求項４の構成とすると、保持部によって保持されるケーブルが被着物に近い空間を通過する経路構成が可能となり、当該ケーブルが嵩張ることを防止し、コンパクトなスペースに当該ケーブルを収めることができる。
【００１６】
【発明の実施の形態】
次に、発明の実施の形態を説明する。
図１は本発明の一実施形態に係るケーブルブーツの全体的な構成を示した斜視図、図２はケーブルブーツを図１と異なる方向からみた斜視図である。
図３はケーブルブーツを電動モータのハウジングに取り付けた様子を示す斜視図、図４は図３と異なる方向から見た斜視図である。
図５は図３・図４におけるＡ−Ａ断面矢視図である。図６は、変形例のケーブルブーツをハウジングに取り付けた様子を示す斜視図である。
【００１７】
本実施形態に係るケーブルブーツ１の全体斜視図が図１・図２に示される。図１に示すようにケーブルブーツ１は、第一厚肉部１ａと、第二厚肉部１ｂと、薄肉部１ｃと、を一体形成して構成している。このケーブルブーツ１は、ゴムやエラストマー等の弾性部材で形成されている。
【００１８】
第一厚肉部１ａはケーブルブーツ１の中央部に配置されており、この第一厚肉部１ａの中央部には、太いワイヤケーブル（図３・図４の符号１４）をそれぞれ挿通させるための円形の大貫通孔２が、三つ並べて形成されている。
また、前記第一厚肉部１ａにおいては、大貫通孔２の一側の脇の位置に、細いワイヤハーネス（図３・図４の符号１５）を挿通させるための円形の小貫通孔３が形成される。
【００１９】
第二厚肉部１ｂは図１に示すように、前記第一厚肉部１ａの周囲三方を取り囲むように、ケーブルブーツ１の縁部に沿って略「コ」字状に形成される。
薄肉部１ｃは、第一厚肉部１ａの外側かつ第二厚肉部１ｂの内側に設けられるものであり、第一厚肉部１ａ・第二厚肉部１ｂを互いに接続するように、略「コ」字状に形成されている。
【００２０】
第二厚肉部１ｂの両脇の位置には、厚肉状のボス部（凸部）１ｄが、両サイドに向けて突出するよう一体形成されている。
このボス部１ｄには、細いワイヤハーネス（図３・図４の符号１６）を挿通させるための、保持部たる小貫通孔５がそれぞれ形成される。
【００２１】
図１に示すように、ケーブルブーツ１の一側（第二厚肉部１ｂが形成されていない側であって、図中下側）の縁部においては、円弧面状のシール面６が形成されている。また、前記第一厚肉部１ａが前記シール面６に面する箇所においては、薄肉状の舌部９が突出形成される。
前述の三つの大貫通孔２、および小貫通孔３からは、それぞれ図中下方に向けて切込み４が形成される。それぞれの切込み４は、第一厚肉部１ａの前記シール面６側の縁部、及び、前記舌部９の突出端部に到達するまで、直線状に延出されている。
【００２２】
前記ボス部１ｄに前述のとおり形成されている小貫通孔５にも、切込み４が形成されている。この切込み４は図中上方に向けて延出し、前記シール面６と反対側の縁部まで延出されている。
【００２３】
図１に示すように、前記第二厚肉部１ｂの内側の面（第一厚肉部１ａ側を向く面）には、当該第二厚肉部１ｂに沿って、細長い凹条７が形成されている。この凹条７は一様な深さに形成されており、前記第二厚肉部１ｂの内側の面が緩やかな湾曲状になっていることに対応して、その長手方向が湾曲を呈するように形成されている。
この凹条７は、後述する電動モータ１０のエンドブラケット１１ｂ（膨出部１３）の折曲部１７を嵌入するためのものであり、詳しくは後述する。
【００２４】
図３・図４には、ケーブルブーツ１を電動モータ１０のハウジング１１に取り付けた状態が示される。この電動モータ１０はバッテリー式フォークリフトに取り付けられるものであり、パワーステアリング装置および荷役のためのリフトシリンダに供給する圧油を吐出するための、図示しない油圧ポンプを駆動するためのものである。
【００２５】
図３・図４に示すように、ケーブルブーツ１の被着物たる電動モータ１０のハウジング１１は、固定子及び回転子を内部に収納する円筒状のケーシング１１ａと、ケーシング１１ａを挟むようにしてその両側にそれぞれ接合されるカップ状のエンドブラケット１１ｂと、によりなる。
エンドブラケット１１ｂは図示しない脚部を有しており、この脚部が、フォークリフトを構成する適宜のフレームに、防振のための図示しないマウント部材を介して固定される。また、エンドブラケット１１ｂのそれぞれには、モータ軸１２を回転自在に軸支するための図示しない軸受が備えられている。モータ軸１２は、前述の油圧ポンプの入力軸に連結される。
【００２６】
二つのうち一側（図３における手前左側、図４における左側）のエンドブラケット１１ｂは、その一部をラジアル方向外側に膨出させて、膨出部１３を形成している。膨出部１３は前記ケーシング１１ａ側の面に開口部１３ｍを有し、この開口部１３ｍを介して、給電線としての三本のケーブルワイヤ１４、及び、電動モータ１０の制御のためのワイヤハーネス１５が、図４に示すようにエンドブラケット１１ｂ内部に引き込まれる構成となっている。前述のケーブルブーツ１は、この膨出部１３の開口部１３ｍを覆うようにして、ハウジング１１に取り付けられる。
この際は、前記切込み４を拡開するようにケーブルブーツ１を弾性変形させることで、ケーブルワイヤ１４は切込み４を通過させて大貫通孔２の内部に、ワイヤハーネス１５は切込み４を通過させて小貫通孔３の内部に、それぞれ装着させ保持させることができる。
【００２７】
図３・図４におけるＡ−Ａ断面矢視図が図５（ｉ）に示され、更にこの図の符号Ｂで示す部分の拡大図が（ｉｉ）に示される。図５（ｉ）に示すように、前記膨出部１３の前記開口部１３ｍは、ケーブルブーツ１のうち、前記第一厚肉部１ａおよび薄肉部１ｃによって覆われる。ケーブルブーツ１のうち第一厚肉部１ａおよび薄肉部１ｃを除いた部分（即ち、第二厚肉部１ｂおよびボス部１ｄ）は、前記開口部１３ｍを覆う部分以外の部分である。
【００２８】
ケーブルワイヤ１４は、エンドブラケット１１ｂ及びケーシング１１ａとの間に適宜の隙間を形成した状態で、前記第一厚肉部１ａに形成された前記大貫通孔２に支持固定される（ワイヤハーネス１５も同様に、小貫通孔３に支持固定される）。
従って、前記ケーブルワイヤ１４・ワイヤハーネス１５がエンドブラケット１１ｂやケーシング１１ａに擦れて損傷することが防止される。この効果は特に、例えばエンドブラケット１１ｂやケーシング１１ａが金属製とされ、鋭利なエッジ部を有するような場合に有効である。
【００２９】
図５（ｉ）（ｉｉ）に示すように、エンドブラケット１１ｂの膨出部１３は、そのケーシング１１ａ側の縁部の全体が一定幅で外側に向けてほぼ垂直に折り曲げられた形状とされ、折曲部１７を形成している。
一方、ケーブルブーツ１の前記第二厚肉部１ｂは、エンドブラケット１１ｂの膨出部１３のケーシング１１ａ側の縁部の形状に沿うように、その形状が定められている。また図５（ｉｉ）に示すように、この第二厚肉部１ｂに欠設される凹条７は、その深さ方向の向きｐが折曲部１７の突出向きに一致するように構成している。従って、凹条７へ前記折曲部１７を嵌入させて図５に示す状態とすることで、ケーブルブーツ１を電動モータ１０のハウジング１１に対し取り付けて固定することができる。
【００３０】
ここで、前記凹条７の幅は前記折曲部１７の厚みよりも若干小さく設定されており、凹条７へ折曲部１７を嵌入させたときは、凹条７の壁が弾性変形しながら折曲部１７に液密的に密着するように構成している。また、ケーブルブーツ１は若干押し縮められるように弾性変形される形でハウジング１１に取り付けられ、ケーブルブーツ１自身が有する弾発力によって、前述の円弧面状のシール面６がケーシング１１ａに押し付けられ、液密的に密着するよう構成されている。
以上の結果、ケーブルブーツ１はハウジング１１（エンドブラケット１１ｂおよびケーシング１１ａ）との接合部において良好なシール性を発揮し、水などが前記膨出部１３の開口部１３ｍからハウジング１１内部に侵入することが防止される。
【００３１】
また、前記大貫通孔２の内径は、保持するケーブルワイヤ１４の外径よりも若干小さく設定されており、大貫通孔２にケーブルワイヤ１４を固定したときは、大貫通孔２の内周面が弾性変形しながらケーブルワイヤ１４の外面に密着し、シール性を発揮するように構成している。
同様に、前記小貫通孔３の内径は、保持するワイヤハーネス１５の外径よりも若干小さく設定されており、小貫通孔３が弾性変形しながらワイヤハーネス１５の外面に密着し、シール性を発揮するように構成している。
従って、ケーブルブーツ１の大貫通孔２や小貫通孔３の部分でも良好なシール性が発揮され、この部分からハウジング１１内部に水などが入ることを防止できている。
【００３２】
更に図１や図５に示すように、このケーブルブーツ１の前記第二厚肉部１ｂにおいては、前記凹条７に沿うようにして凸条８が設けられているので、凸条８に指を掛けて前記折曲部１７の突出向きとほぼ同じ方向（図５（ｉｉ）に示すｘ方向）に力を加えれば、凹条７の幅が広がるように、かつ、凹条７が折曲部１７から若干抜けて外れるように、第二厚肉部１ｂの部分を容易に弾性変形させることができる。この結果、ケーブルブーツ１の取付け及び取外しが容易とされている。
【００３３】
前述のボス部１ｄは、図３・図４のようにケーブルブーツ１をハウジング１１に取り付けたときに、当該ハウジング１１に近接して（具体的にいえば、前記膨出部１３の根元部の脇部分に）位置することになる。換言すれば、ハウジング１１に近接する位置にボス部１ｄが位置するように、ボス部１ｄのケーブルブーツ１における位置が設定されている。膨出部１３の一側の脇を通過するようにワイヤハーネス１６が設置され、このワイヤハーネス１６は、前記ボス部１ｄに形成された小貫通孔５に装着され固定される。
【００３４】
ここで、ボス部１ｄに形成される小貫通孔５は、当該小貫通孔５に保持されるワイヤハーネス１６が前記ハウジング１１に接触せず適宜の間隔をおいて位置することとなるように、そのボス部１ｄにおける形成位置が定められている。
そして、この小貫通孔５からは、図３・図４に示すように、ハウジング１１から遠ざかる向きに切込み４が形成されている。従って、この切込み４を通過させるように、ワイヤハーネス１６をハウジング１１に近づく方向（図３・図４に示す白抜き矢印の方向）に移動させることで、切込み４が拡開するようにボス部１ｄが弾性変形し、ワイヤハーネス１６を通過させることができる。この結果、ワイヤハーネス１６を、保持部たる小貫通孔５に装着させることができる。
【００３５】
以上に示すように、本実施形態のケーブルブーツ１は、ハウジング１１の開口部１３ｍを閉鎖する部分である第一厚肉部１ａには、ケーブルワイヤ１４を保持可能な大貫通孔２が形成されている。
また、当該ケーブルブーツ１の（前記ハウジング１１の開口部１３ｍを閉鎖する部分以外の部分である）前記ボス部１ｄには、保持部たる小貫通孔５が一体形成され、この小貫通孔５がワイヤハーネス１６を保持可能となっている。
【００３６】
従って、このケーブルブーツ１は、ケーブルワイヤ１４を大貫通孔２によって保護し固定する本来の機能を奏するほか、当該ケーブルブーツ１の付近を通過するケーブル（ワイヤハーネス１６）を固定でき、当該ワイヤハーネス１６がハウジング１１のエッジ部に擦れて損傷しないように保護することができる。
従って、ワイヤハーネス１６の支持固定のための特別の部品が不要となるから、部品点数を減らし、コストを低減することができる。
【００３７】
また、本実施形態のケーブルブーツ１は、前記ハウジング１１に近づく方向にワイヤハーネス１６を移動させることで、ワイヤハーネス１６を切込み４内を通過させて小貫通孔５に装着できるように構成している。
従って、ワイヤハーネス１６を小貫通孔５に取り付ける作業が簡素化され、組立工数が低減される。
【００３８】
ただし、本実施形態の構成に限らず、小貫通孔５から延出する切込み４の向きを逆向きとする構成も可能である。即ち図６の変形例に示すように、切込みの向きを小貫通孔５からハウジング１１に近づく向きに形成し（符号４’）、ワイヤハーネス１６を小貫通孔５に装着する際は、膨出部１３のサイド側からハウジング１１とボス部１ｄとの間の空間にワイヤハーネス１６を移動させた後、前記切込み４’を通過させるように、ワイヤハーネス１６をハウジング１１から遠ざかる向き（図６における白抜き矢印方向）に移動させれば良い。
【００３９】
この構成によれば、ワイヤハーネス１６に何らかの事情でハウジング１１から遠ざかる向きに力が加わったとしても、ワイヤハーネス１６が小貫通孔５から外れてしまうことは防止される。即ち、ワイヤハーネス１６を小貫通孔５に確実に保持させることができる。
【００４０】
また、前記ケーブルブーツ１の凸部たるボス部１ｄは、当該ケーブルブーツ１を前記ハウジング１１に取り付けたときに当該ハウジング１１に近接する位置に一体形成されたものであり、前記小貫通孔５は、このボス部１ｄに形成されている。
【００４１】
この構成によれば、ワイヤハーネス１６にハウジング１１に近い空間を通過させる経路構成が可能となり、ワイヤハーネス１６がコンパクトなスペースに収まる構成とすることができる。
【００４２】
以上に本発明の実施形態を示したが、本発明の技術的範囲は上記の実施形態に限定されるものではなく、以下に示すような様々な変容が可能である。
【００４３】
（イ）ワイヤハーネス１６を保持可能な保持部としては、本実施形態では切込み４付きの孔（小貫通孔５）としているが、この形状に限定されるものではない。他の保持部の形状としては、「Ｕ」字状の溝や、掴持爪などが考えられる。
また、第一厚肉部１ａにおける大貫通孔２や小貫通孔３の数や配置も、前述の実施形態に限られるものではない。例えば大貫通孔２のみの構成としたり、小貫通孔３のみの構成としたりすることも可能である。
【００４４】
（ロ）ケーブルブーツ１を取り付ける対象（被着物）としては、本実施形態ではフォークリフトに取り付けられた電動モータ１０のハウジング１１としたが、これに限らず、他の機器（電気機器であると否とを問わない）の適宜の部材にこれを取り付けるように構成することも可能である。
【００４５】
（ハ）凸部としての前記ボス部１ｄは、ケーブルブーツ１の両サイドに設けられているが、片側にのみ設けられる構成であっても良い。また、サイド位置に限定するものでもなく、ケーブルブーツ１の第二厚肉部１ｂ中央の前記シール面６の反対側にボス部１ｄを一つ形成し、ここに保持部としての小貫通孔５を設ける構成としても良い。
【００４６】
【発明の効果】
本発明は、以上のように構成したので、以下に示すような効果を奏する。
【００４７】
即ち、請求項１に示すように、被着物の開口部を閉鎖するようにしながら当該開口部に液密的に嵌合する、弾性体で構成されるケーブルブーツであって、当該ケーブルブーツの前記開口部の閉鎖部分には、ケーブルを保持可能な貫通孔が形成され、当該ケーブルブーツの前記開口部の閉鎖部分以外の部分には、ケーブルを保持可能な保持部が一体形成されているので、
開口部を通過するケーブルを貫通孔によって保持して、当該ケーブルが被着物と擦れて損傷するのを防止して保護する本来の機能を奏するほか、当該ケーブルブーツの付近を通過する他のケーブルを固定でき、当該他のケーブルが被着物に擦れて損傷しないように保護することができる。
従って、前記他のケーブルの支持固定のための特別の部品が不要となるから、部品点数を減らし、コストを低減することができる。
【００４８】
請求項２に示すように、前記保持部は、前記被着物に近づく方向にケーブルを移動させることで、当該保持部に装着できるように構成しているので、
ケーブルを保持部に取り付ける作業が簡素化され、組立工数が低減される。
【００４９】
請求項３に示すように、前記保持部は、前記被着物から遠ざかる方向にケーブルを移動させることで、当該保持部に装着できるように構成しているので、
ケーブルに何らかの事情で被着物から遠ざかる向きに力が加わったとしても、ケーブルが保持部から外れてしまうことは防止される。即ち、ケーブルを保持部に確実に保持させることができる。
【００５０】
請求項４に示すように、前記ケーブルブーツは、当該ケーブルブーツを前記被着物に取り付けたときに当該被着物に近接する位置に、凸部を一体形成しており、前記保持部は前記凸部に形成されているので、
保持部によって保持されるケーブルが被着物に近い空間を通過する経路構成が可能となり、当該ケーブルが嵩張ることを防止し、コンパクトなスペースに当該ケーブルを収めることができる。
【図面の簡単な説明】
【図１】本発明の一実施形態に係るケーブルブーツの全体的な構成を示した斜視図。
【図２】ケーブルブーツを図１と異なる方向からみた斜視図。
【図３】ケーブルブーツを電動モータのハウジングに取り付けた様子を示す斜視図。
【図４】図３と異なる方向から見た斜視図。
【図５】図３・図４におけるＡ−Ａ断面矢視図。
【図６】変形例のケーブルブーツをハウジングに取り付けた様子を示す斜視図。
【符号の説明】
１  ケーブルブーツ
１ｄ  ボス部（凸部）
２  大貫通孔
３  小貫通孔
１１  電動モータのハウジング（被着物）
１３ｍ  開口部
１４  ケーブルワイヤ（ケーブル）
１５  ワイヤハーネス（ケーブル）
１６  ワイヤハーネス（ケーブル）
【図１】
2004173382.tif 000003
【図２】
2004173382.tif 000004
【図３】
2004173382.tif 000005
【図４】
2004173382.tif 000006
【図５】
2004173382.tif 000007
【図６】
2004173382.tif 000008